【事件の表示】
　特願２００４−１８８９２８「時間メモ表示機能付携帯端末及びプログラム」拒絶査定不服審判事件〔平成１８年　１月１２日出願公開、特開２００６−　１０５３６〕について、次のとおり審決する。
【結　論】
　本件審判の請求は、成り立たない。
【理　由】
１．手続の経緯・拒絶の理由
（１）本願は、平成１６年６月２５日の出願であって、明細書及び特許請求の範囲について平成２２年１０月１８日付けで補正がなされ（以下、「補正１」という。）、平成２３年３月２３日付け（送達：同年同月２９日）で拒絶査定がなされ、これに対し、同年６月２７日に拒絶査定不服審判が請求されると同時に補正がなされた（以下、「本件補正」という。）ものである。
（２）原査定の拒絶の理由は、本願各請求項に記載された発明は、いずれも、本願の出願前に日本国内において頒布された刊行物である特開平９−４４４５６号公報（発明の名称：電子メモ装置、出願人：シャープ株式会社、公開日：平成９年２月１４日、以下、「引用例」という。）に記載された発明に基づいて、当業者が容易に発明をすることができたものであるから特許を受けることができない、というものである。
　
２．補正の適否・本願発明
（１）補正の内容
　本件補正は、補正前の請求項２（請求項１の従属項である。）の内容を請求項１に組み込むとともに、請求項１１（請求項１０の従属項である。）の内容を請求項１０に組み込むものであり、本件補正により請求項の数は、１８から１６となった。
　してみると、本件補正は、請求項の削除を目的とするものであり、しかも、新規事項を追加するものでもないことも明らかであるから、適法である。　
　
（２）本願発明
  以上のとおり本件補正は認められるので、本願の請求項１に係る発明は、本件補正によって補正された特許請求の範囲の請求項１に記載された事項により特定される、次のとおりのものと認める。 
「ユーザによって、メニュー画面から時間メモ機能が選択又は指定された状態で、前記ユーザの計時開始の操作入力を受付けると、受付けた時点の時刻を時間メモとしてメモリに登録する時間メモ登録手段と、
　前記時間メモとして登録された前記時刻からの経過時間を算出する経過時間算出手段と、
　登録された前記時間メモ及び算出された前記経過時間を表示部に表示する表示制御手段と、
　登録されている及び表示されている前記時間メモと表示されている前記経過時間を前記ユーザの操作入力に応じて消去する時間メモ消去手段と
　を備えていることを特徴とする時間メモ表示機能付携帯端末。」（なお、便宜のために、段落毎に改行した。以下、「本願発明」という。） 
　
３．引用例記載の事項・引用発明
　これに対して、引用例である特開平９−４４４５６号公報）には、次の事項（ａ）〜（ｅ）が図面とともに記載されている。
（ａ）「【０００１】
【発明の属する技術分野】本発明は、例えばタブレットおよびペン等を用いて利用者が筆記入力したメモ情報を登録すると共に、登録したメモ情報の参照や削除が可能な電子メモ装置に関するものである。
【０００２】
【従来の技術】従来、タブレットあるいはディジタイザ等に対して利用者がペン等を用いて図形や文字等を筆記すると、これらの図形や文字等を認識し、例えば文字であれば文字コード等に変換して入力する情報端末装置が知られている。また、このような情報端末装置の一種として、手書き入力された画像を図形認識や文字認識等を行わずにメモ画像としてそのままメモリ等に記憶する一方、記憶されたメモ画像を利用者が後で参照することが可能なメモ機能を有する電子メモ装置も知られている。
【０００３】これにより、利用者は、例えば会議中や電話中等に、とりあえずこのメモ機能を使って簡単な地図や覚書き等を手書きで入力して上記メモリへ記憶させておき、その後、記憶させたメモ画像をメモリから呼び出して参照しながら例えば他のデータ処理装置からデータベースに入力して記憶させたり、ワープロで清書したり、あるいは、上記装置をプリンタやファクシミリ等に接続し、メモ画像の印刷出力あるいは送信を行う等の種々の処理を行うことが可能となっている。」
（ｂ）「【００１２】
【発明の実施の形態】
〔実施形態１〕本発明の実施の一形態について図１ないし図９に基づいて説明すれば、以下の通りである。まず、図１を参照しながら、本実施形態に係る電子メモ装置の概略構成について説明する。同図に示すように、本実施形態の電子メモ装置は、液晶表示パネル等の画面を備えた表示部３と、上記画面上に積層される図示しない透明なタブレットとこのタブレットの上に図形や文字等を筆記するためのペンとによって構成される入力部１（入力手段）と、時刻を報知する時計部４（計時手段）と、後述する保持期間記憶部５（情報保持期間記憶手段）と、利用者により筆記された画像を記憶する筆記情報記憶部６（記憶手段）と、後に詳述するように利用者が入力を行ってからの経過時間に基づいて削除候補を選出する経過時間判定部７（経過時間判定手段）と、上記の各部の動作を制御する制御部２（制御手段）とを備えた構成である。
【００１３】次に、上記電子メモ装置で行われる手書き入力処理を、表示部３の表示状態を中心に説明する。図２は、上記表示部３に表示される初期画面の一例を示す説明図である。また、図３は、上記初期画面が表示された状態で、利用者が、表示部３の表面に積層された透明なタブレット１ａ上に、上記のペンを用いてメモの筆記を行った場合の、表示部３の表示状態を示す説明図である。例えば、利用者が、企画会議の開催に関するメモを、ペンによりタブレット１ａ上に筆記すると、同図に示すように、利用者が筆記した軌跡が表示部３に表示されると共に、この軌跡を含む画像が、筆記情報として制御部２の図示しない内部バッファへ格納される。その後、利用者が、表示部３において矩形の中に「筆記終了」と表示されてなるボタン領域３ａの表面のタブレットをペンで押すと、制御部２は、利用者が筆記終了を入力したことを入力部１から知らされて、手書きによるデータの入力が終了したことを検知する。」
（ｃ）「【００１５】ここで、図５に示すフローチャートを参照しながら、上述の手書き入力処理の際に制御部２が情報登録手段として実行する制御の手順を説明する。利用者が、ペン先をタブレットに接触させて筆記を行うと、この時のペン移動に伴って、入力部１から制御部２へ筆記情報が送られる。制御部２は、この筆記情報を基にペンＯＮ状態の筆記情報を抽出して（ステップ１、以下、Ｓ１のように表記する）、制御部２が備える図示しない内部バッファに保持すると共に、表示部３に軌跡として表示する（Ｓ２）。
【００１６】上記Ｓ１およびＳ２の一連の処理は、入力部１にて入力が行われている間繰り返される。そして、前記したように利用者が筆記終了を入力部１に指示すると、制御部２は、筆記が終了したことを検知して（Ｓ３）、時計部４から現在時刻を読み込んで、この時刻を上記筆記情報の筆記終了時刻として上記内部バッファに保持する（Ｓ４）。
【００１７】次に、制御部２は、上記内部バッファに保持している筆記情報に上記筆記終了時刻を付加して筆記情報記憶部６へ格納する（Ｓ５）。制御部２は、上記筆記情報の筆記情報記憶部６への格納が終了すると、データの登録が完了したことを利用者に知らせるメッセージを、例えば図４に示すように、表示部３へ表示する（Ｓ６）。」
（ｄ）「【００１８】以上の手順により、利用者が筆記入力したメモ等の筆記情報が、筆記終了時刻と共に筆記情報記憶部６へ格納されるが、通常は、ある程度の時間が経過するとこのようなメモは不要となることが多い。また、筆記情報記憶部６の空き容量を確保するために、不必要なメモを上記筆記情報記憶部６から削除することが必要となる。
【００１９】本実施形態の電子メモ装置は、動作モードの１つとして、筆記情報記憶部６から不要となったメモを削除する処理を行うメンテナンスモードを有している。このメンテナンスモードでは、まず、筆記情報記憶部６に記憶されている筆記情報の中から、筆記されてからの経過時間が保持期間を超えている筆記情報が検索され、削除候補として表示部３へ表示される。なお、上記の保持期間は、メモとして記憶された筆記情報を確実に保持すべき時間として、電子メモ装置の製造・出荷時の設定や利用者の初期設定等によって、適当な時間があらかじめ設定されている。本実施形態では、上記保持期間として７日間が設定されているものとして説明を続ける。利用者は、表示部３に表示された削除候補を削除するか、あるいは削除せずに継続保持するかを選択し、削除指示された筆記情報が筆記情報記憶部６から削除される。
・・・・
【００２４】削除候補として選択された筆記情報のアドレス、すなわち上記のアドレスｐ１およびｐ２は、経過時間判定部７から制御部２へ渡される。制御部２は、図６に示すように、保持期間を超えた筆記情報がある旨をその件数と共に示すメッセージと、矩形の中に「全削除」および「確認」がそれぞれ表示されてなるボタン領域３ｃおよび３ｄとを、表示部３に表示させる。
【００２５】利用者が、上記ボタン領域３ｃをペンで押すと、上記した２件の削除候補はすべて削除される。一方、利用者がボタン領域３ｄをペンで押した場合には、制御部２は、経過時間判定部７から渡されたアドレスｐ１およびｐ２に基づいて削除候補の筆記情報を筆記情報記憶部６から読み出す。さらに、制御部２は、読み出した削除候補の画像を、図７に示す領域３ｅおよび３ｆのように、表示部３の画面に一覧表示させる。【００２６】利用者は表示部３でこれら削除候補を見て、例えば領域３ｅに表示されている筆記情報が不要であると判断したら、まず、領域３ｅの表面のタブレットをペンで押し、その後に、同画面の下部に表示されている、矩形の中に「データ削除」と表示されてなるボタン領域３ｇの表面のタブレットをペンで押す。入力部１は、データ削除が選択されたことを制御部２へ通知し、制御部２は、後に詳述するように、筆記情報記憶部６から上記筆記情報を削除する処理を行う。」
（ｅ）「【００９２】〔実施形態４〕本発明の実施に係るさらに他の形態について図２、図２１および図２２に基づいて説明すれば、以下の通りである。本実施形態の電子メモ装置では、経過時間判定部７が残存時間算出手段として機能し、各筆記情報の保持期間が満了するまでの残存時間をレベル化して利用者に対して提示する。例えば、現在、１０月３０日１１時００分であり、以下の表６に示すように、筆記情報記憶部６のアドレスｐ11ないしｐ15…に、筆記情報が重要度および筆記終了時刻と共に記憶されているものとする。また、本実施形態の筆記情報に設定される重要度のレベルは、重要度の高いものから順にレベルＡ、Ｂ、Ｃの３段階であり、これらの各レベルの筆記情報の保持期間として、３０日間（４３２００分）、７日間（１００８０分）、１日間（１４４０分）がそれぞれ設定されているものとする。
【００９３】
【表６】
【００９４】ここで、利用者が、表示部３において図２に示す初期画面が表示されている状態で、矩形の中に「一覧表示」と表示されてなるボタン領域３ｑの表面のタブレットをペンで押すと、制御部２は、入力部１から利用者が「一覧表示」を選択したことを通知され、各筆記情報の保持期間が満了するまでの残存時間を算出してこれをレベル化し、表示部３に表示する。
【００９５】なお、下記の表７は、算出した残存時間をレベル化する際に用いられる対応表である。
【００９６】
【表７】
【００９７】上記表７に示すように、ある筆記情報に関して、保持期間満了までの残存時間が１５分以内であれば、上記筆記情報の残存時間レベルはレベル１となり、１５分よりも長く且つ１時間以内であれば、レベル２となる。同様にして、残存時間が１時間よりも長く且つ１日以内であればレベル３、１日よりも長く且つ１週間以内であればレベル４となる。なお、この対応表の内容は、保持期間記憶部５に記憶されている。
【００９８】ここで、上記表６に示した筆記情報を例に挙げて、各筆記情報に対する残存時間レベルの算出の方法を、下記の表８を参照しながら具体的に説明する。
【００９９】
【表８】
【０１００】まず、上記表６のアドレスｐ11の筆記情報について説明すると、表８に示すように、アドレスｐ11の筆記情報は、筆記されてからの経過時間が４３０２０分である。また、上記表６に示すようにこの筆記情報の重要度はレベルＡである。前記したようにレベルＡの筆記情報の保持期間は３０日間（４３２００分）と設定されているため、上記のアドレスｐ11の筆記情報の保持期間満了までの残存時間は、１８０分である。この残存時間を、上記表７の対応表に基づいてレベル化すると、レベル３となる。
【０１０１】同様にして、すべての筆記情報について残存時間レベルが求められて、その結果は、表示部３に一覧表示される。図２１は、この時の表示部３の表示画面の様子の一例を示す説明図である。同図に示すように、各筆記情報の画像の下に、この筆記情報の重要度と共に残存時間レベルが表示される。利用者は、これによって、筆記情報記憶部６に現在記憶されている筆記情報の内容と、各筆記情報の保持期間満了までの残存時間がどの程度かを知ることができる。
【０１０２】次に、上述したように筆記情報の一覧表示を行う際に、主として制御部２および経過時間判定部７が行う制御の手順について、図２２に示すフローチャートを参照しながら、説明する。制御部２は、利用者が一覧表示を指示したことを入力部１から通知されると、経過時間判定部７へすべての筆記情報に関して、残存時間レベルを算出するよう指示する。経過時間判定部７は、筆記情報記憶部６から筆記情報のアドレスと筆記情報に付加されている筆記終了時刻とを読み込んで経過時間判定部７の内部バッファへ保持する（Ｓ９１）。さらに、時計部４から現在の時刻を読み込んで（Ｓ９２）、上記Ｓ９１で取得した筆記終了時刻と上記Ｓ９２で取得した時刻との差を求めることにより、筆記情報が筆記されてからの経過時間を算出する（Ｓ９３）。
【０１０３】経過時間判定部７は、保持期間記憶部５から重要度のレベルごとの保持期間を読み込み（Ｓ９４）、読み込んだ保持期間と上記Ｓ９３で算出された経過時間とに基づいて、保持期間満了までの残存時間を算出する（Ｓ９５）。さらに、経過時間判定部７は、算出した残存時間に、上記表６で例示したような対応表を対応させて、残存時間レベルを求める。経過時間判定部７は、求めた残存時間レベルと筆記情報のアドレスを、制御部２へ返す（Ｓ９６）。
【０１０４】制御部２は、経過時間判定部７から渡されたアドレスに基づいて、筆記情報記憶部６から筆記情報の画像を取り出し、この画像と共に残存時間レベルを表示部３に表示させる（Ｓ９７）。以上の手順によって、筆記情報記憶部６に記憶されているすべての筆記情報に関して、残存時間レベルと筆記情報の画像とが、表示部３に表示される。
【０１０５】以上に説明したように、本実施形態の構成では、利用者が記憶されている筆記情報の一覧表示を要求すると、各筆記情報の保持期間満了までの残存時間が、筆記情報の画像と共に表示されるようになっている。これにより、例えば、一覧表示された筆記情報の中に、保持期間満了が迫っているものがどの程度存在するか等を利用者が容易に判別することが可能となる。また、例えば、保持期間満了が迫っている筆記情報から優先的に処理したり、長期間確実に保持すべきものであれば、例えば他のデータベースへ登録したりするというような対応をとることが可能となる。
【０１０６】なお、本実施形態では、筆記情報の画像と同時に残存時間レベルを表示する構成を例に挙げて説明したが、これに限らず、例えば、筆記情報の画像を表示する前に残存時間レベルのみを表示したり、残存時間レベルごとに分けて筆記情報の画像を表示するというように、表示状態を種々に工夫することも可能である。」
　
　まず、前記記載（ｃ）によれば、制御部２は筆記情報に前記筆記終了時刻を付加して筆記情報記憶部６へ格納する機能を有し、前記記載（ｄ）によれば、制御部２は筆記情報を削除する機能を有し、また、前記記載（ｆ）によれば、制御部２は残存時間レベルを表示部３に表示する機能を有するから、それらの機能を、それぞれ、「制御部２のデータ格納機能」、「制御部２のデータ削除機能」、「制御部２のデータ表示機能」と呼ぶことにする。
　してみると、上記記載（ａ）ないし（ｅ）を総合し、記載（ｅ）に示された実施形態４に着目すると、引用例には次の発明が記載されていると認められる。
　
「利用者によって、初期画面が表示され、タブレット１ａ上にメモをペンにより筆記し、該筆記情報が制御部２の内部バッファに格納された状態で、利用者が表示部３におけるボタン領域３ａをペンで押すと、ボタン領域３ａをペンで押した現在時刻を筆記終了時刻として、前記筆記情報とともに筆記情報記憶部６に格納する制御部２のデータ格納機能と、
　前記筆記終了時刻として前記筆記情報記憶部６に格納された前記現在時刻からの経過時間を算出する経過時間判定部７と、
　前記筆記情報記憶部６に格納された前記筆記情報及び前記経過時間から算出された残存時間レベルを表示部３に表示する制御部２のデータ表示機能と、
　前記筆記情報記憶部６に格納され、表示されている前記筆記情報と前記残存時間レベルを前記利用者が表示部３におけるボタン領域３ｇをペンで押すことにより削除する制御部２のデータ削除機能と
　を備えている表示部３を有しプリンタやファクシミリ等に接続し得る電子メモ装置。」（以下、「引用発明」という。）
　
４．対比
　本願発明と引用発明とを、主たる構成要素毎に対比する。
（１）引用発明における「利用者」は、本願発明における「ユーザ」に相当し、「初期画面」は、「メニュー画面」に相当し、以下、同様に、「筆記終了時刻」は「時間メモ」に、「筆記情報記憶部６」は「メモリ」に、「格納」は「登録」に、「制御部２のデータ格納機能」は「時間メモ登録手段」に、「経過時間判定部７」は「経過時間算出手段」に、「表示部３」は「表示部」に、「制御部２のデータ表示機能」は「表示制御手段」に、「制御部２のデータ削除機能」は「時間メモ消去手段」に、それぞれ相当する。
　また、引用発明における電子メモ装置は、「表示部３を有しプリンタやファクシミリ等に接続し得る」ものであるから、本願発明における「表示機能付携帯端末」に相当するといえる。
（２）引用発明における「（表示される）筆記情報」も、本願発明における「（表示される）時間メモ」も、共に、「（表示される）情報」である点で共通するといえ、また、引用発明における「（表示される）残存時間レベル」も、本願発明における「（表示される）経過時間」も、共に、「（表示される）情報の鮮度を表す時間」である点で共通するといえる。
　
　してみると、両者の一致点、相違点は、以下のとおりである。
（一致点）
「ユーザによって、メニュー画面から時間メモ機能が選択又は指定された状態で、前記ユーザの計時開始の操作入力を受付けると、受付けた時点の時刻を時間メモとしてメモリに登録する時間メモ登録手段と、
　前記時間メモとして登録された前記時刻からの経過時間を算出する経過時間算出手段と、
　登録された情報及び算出された情報の鮮度を表す時間を表示部に表示する表示制御手段と、
　登録されている及び表示されている前記情報と表示されている前記情報の鮮度を表す時間を前記ユーザの操作入力に応じて消去する時間メモ消去手段と
　を備えていることを特徴とする時間メモ表示機能付携帯端末。」
（相違点）
相違点１：表示対象である情報、及び情報の鮮度を表す時間が、
  本願発明では、それぞれ、受付けた時点の時刻である時間メモであり、経過時間であるのに対し、引用発明では、それぞれ、筆記情報であり、残存時間レベルである点。
相違点２：消去対象である情報、及び情報の鮮度を表す時間が、、
　本願発明では、それぞれ、受付けた時点の時刻である時間メモであり、経過時間であるのに対し、引用発明では、それぞれ、筆記情報であり、残存時間レベルである点。
  
５．判断
　前記相違点１，２を併せて検討する。
  引用発明における「筆記情報」や「残存時間レベル」は、それぞれ、表示対象である情報や情報の鮮度を表す時間である点で、本願発明における「時間メモ」や「経過時間」にそれぞれ対応するといえるところ、そのうち特に、「残存時間レベル」についてみると、残存時間レベルは、経過時間から算出されるものであり、経過時間と密接に関連するものである。
　そして、携帯電話のような表示機能付情報端末装置において、その表示部に、着信時刻（本願発明における「時間メモ」に相当する。以下、同様。）とともに、着信時刻からの経過時間を表示することは周知な技術事項である。この点については、例えば、原審で引用した特開２００１−５６３８６号公報、図３や段落【００１６】を参照のこと。
　したがって、携帯端末の表示対象である情報や情報の鮮度を表す時間に関し、引用発明における筆記終了時刻（時間メモ）が付随する筆記情報や、残存時間レベルに代えて、本願発明のように、単に、受付けた時点の時刻である時間メモや、経過時間とすることは、当業者が容易になし得るところといえる。
　また、この点に関連し、削除対象を、受付けた時点の時刻である時間メモや、経過時間とすることについても、同様である。
　そして、本願発明の作用効果も、引用発明及び周知技術から当業者が予測可能なものであって格別のものではない。
　
６．むすび
　したがって、本願発明は、引用発明及び周知技術に基づいて当業者が容易に発明をすることができたものであるから、特許法第２９条第２項の規定により特許を受けることができない。
　以上のとおりであるから、他の請求項に係る発明について審理するまでもなく、本願は拒絶すべきものである。
　よって、結論のとおり審決する。